【手続補正書】
【提出日】平成21年4月3日(2009.4.3)
【手続補正１】
【補正対象書類名】明細書
【補正対象項目名】発明の名称
【補正方法】変更
【補正の内容】
【発明の名称】記録再生装置、及び記録媒体
【手続補正２】
【補正対象書類名】明細書
【補正対象項目名】特許請求の範囲
【補正方法】変更
【補正の内容】
【特許請求の範囲】
【請求項１】
ユーザがユーザデータを書き込むことが出来るユーザ領域とスポンサの情報データが書き込まれるスポンサ領域とを有する記録媒体に書き込まれた前記ユーザデータおよび前記情報データを読み取る記録再生手段と、
前記記録再生手段による前記記録媒体の再生時には、前記スポンサ領域に格納されている前記情報データの再生後に前記ユーザデータを表示するよう制御する制御手段とを備えた記録再生装置。
【請求項２】
ユーザがユーザデータを書き込むことが出来るユーザ領域とスポンサの情報データが書き込まれるスポンサ領域とを有する記録媒体に書き込まれた前記ユーザデータおよび前記情報データを読み取る記録再生手段と、
前記記録再生手段による前記記録媒体の再生時には、前記ユーザデータの再生後に前記スポンサ領域に格納されている前記情報データを表示するよう制御する制御手段とを備えた記録再生装置。
【請求項３】
ユーザがユーザデータを書き込むことが出来るユーザ領域とスポンサの情報データが書き込まれるスポンサ領域とを有する記録媒体に書き込まれた前記ユーザデータおよび前記情報データを読み取る記録再生手段と、
前記記録再生手段による前記記録媒体の再生時には、前記ユーザデータの表示の間に前記情報データの全部または一部を表示するように制御する、または前記情報データの表示の間に前記ユーザデータの全部または一部を表示するように制御する制御手段とを備えた記録再生装置。
【請求項４】
前記スポンサ領域に書き込まれている前記情報データは、前記ユーザにはアクセス禁止になっている、請求項１〜３のいずれかに記載の記録再生装置。
【請求項５】
前記スポンサは、前記記録再生装置を前記ユーザに提供するストレージ事業者が、前記スポンサ領域に前記情報データを書き込むことを許可した事業者である、請求項１〜４のいずれかに記載の記録再生装置。
【請求項６】
ユーザがユーザデータを書き込むことが出来るユーザ領域と、
スポンサの情報データが書き込まれ、前記ユーザがアクセスできないスポンサ領域とを有し、
前記情報データの再生後に前記ユーザデータが再生されることを特徴とする記録媒体。
【請求項７】
ユーザがユーザデータを書き込むことが出来るユーザ領域と、
スポンサの情報データが書き込まれ、前記ユーザがアクセスできないスポンサ領域とを有し、
前記ユーザデータの再生後に前記情報データが再生されることを特徴とする記録媒体。
【請求項８】
前記ユーザデータは、放送されてきたＡＶデータであることを特徴とする請求項６または７に記載の記録媒体。
【請求項９】
前記情報データは、ネットワークを経由して更新、追加または削除が行われることを特徴とする請求項６または７に記載の記録媒体。
【手続補正３】
【補正対象書類名】明細書
【補正対象項目名】０００１
【補正方法】変更
【補正の内容】
【０００１】
【発明の属する技術分野】
本発明は、ユーザに配布されて使用される記録再生装置、及び記録媒体に関するものである。
【手続補正４】
【補正対象書類名】明細書
【補正対象項目名】００１４
【補正方法】変更
【補正の内容】
【００１４】
また、保存したＡＶデータや各種情報データを手軽に編集できるストレージが普及してきているので、保存したＡＶデータや各種情報データからＣＭ等を容易にスキップすることが出来るようになった。従って、ＣＭ等はスキップされて視聴されなくなってきており、ＣＭを提供するスポンサにとってはＣＭによる十分な効果を上げることが出来なくなってきている。
【手続補正５】
【補正対象書類名】明細書
【補正対象項目名】００１６
【補正方法】変更
【補正の内容】
【００１６】
本発明は、上記課題を考慮し、ユーザにとって利用しやすい記録再生装置、及び記録媒体を提供することを目的とするものである。
【手続補正６】
【補正対象書類名】明細書
【補正対象項目名】００１７
【補正方法】変更
【補正の内容】
【００１７】
また、本発明は、上記課題を考慮し、ストレージ事業者が利益を得ることが出来る記録再生装置、及び記録媒体を提供することを目的とするものである。
【手続補正７】
【補正対象書類名】明細書
【補正対象項目名】００１８
【補正方法】変更
【補正の内容】
【００１８】
また、本発明は、上記課題を考慮し、ＣＭ等の情報がユーザに視聴される記録再生装置、及び記録媒体を提供することを目的とするものである。
【手続補正８】
【補正対象書類名】明細書
【補正対象項目名】００１９
【補正方法】変更
【補正の内容】
【００１９】
【課題を解決するための手段】
上述した課題を解決するために、第１の本発明は、ユーザがユーザデータを書き込むことが出来るユーザ領域とスポンサの情報データが書き込まれるスポンサ領域とを有する記録媒体に書き込まれた前記ユーザデータおよび前記情報データを読み取る記録再生手段と、
前記記録再生手段による前記記録媒体の再生時には、前記スポンサ領域に格納されている前記情報データの再生後に前記ユーザデータを表示するよう制御する制御手段とを備えた記録再生装置である。
また、第２の本発明は、ユーザがユーザデータを書き込むことが出来るユーザ領域とスポンサの情報データが書き込まれるスポンサ領域とを有する記録媒体に書き込まれた前記ユーザデータおよび前記情報データを読み取る記録再生手段と、
前記記録再生手段による前記記録媒体の再生時には、前記ユーザデータの再生後に前記スポンサ領域に格納されている前記情報データを表示するよう制御する制御手段とを備えた記録再生装置である。
また、第３の本発明は、ユーザがユーザデータを書き込むことが出来るユーザ領域とスポンサの情報データが書き込まれるスポンサ領域とを有する記録媒体に書き込まれた前記ユーザデータおよび前記情報データを読み取る記録再生手段と、
前記記録再生手段による前記記録媒体の再生時には、前記ユーザデータの表示の間に前記情報データの全部または一部を表示するように制御する、または前記情報データの表示の間に前記ユーザデータの全部または一部を表示するように制御する制御手段とを備えた記録再生装置である。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】変更
【補正の内容】
【００２７】
また、第４の本発明は、前記スポンサ領域に書き込まれている前記情報データは、前記ユーザにはアクセス禁止になっている、第１〜第３のいずれかの本発明の記録再生装置である。
また、第５の本発明は、前記スポンサは、前記記録再生装置を前記ユーザに提供するストレージ事業者が、前記スポンサ領域に前記情報データを書き込むことを許可した事業者である、第１〜第４のいずれかの本発明の記録再生装置である。
また、第６の本発明は、ユーザがユーザデータを書き込むことが出来るユーザ領域と、
スポンサの情報データが書き込まれ、前記ユーザがアクセスできないスポンサ領域とを有し、
前記情報データの再生後に前記ユーザデータが再生されることを特徴とする記録媒体である。
また、第７の本発明は、ユーザがユーザデータを書き込むことが出来るユーザ領域と、
スポンサの情報データが書き込まれ、前記ユーザがアクセスできないスポンサ領域とを有し、
前記ユーザデータの再生後に前記情報データが再生されることを特徴とする記録媒体である。
また、第８の本発明は、前記ユーザデータは、放送されてきたＡＶデータであることを特徴とする第６または第７の本発明の記録媒体である。
また、第９の本発明は、前記情報データは、ネットワークを経由して更新、追加または削除が行われることを特徴とする第６または第７の本発明の記録媒体である。
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３４
【補正方法】変更
【補正の内容】
【００３４】
また、本発明は、一例として、上記発明において、前記ストレージ事業者は前記無料配布された大容量ストレージに記録された前記スポンサのＣＭ等の情報に対して前記スポンサから要求を受けた時に更新、追加、削除を行う。前記無料配布された大容量ストレージはネットワーク経由やディジタル放送経由で前記スポンサのＣＭ等の情報を更新、追加、削除を行う事ができる手段を有している。前記ネットワーク経由で更新、削除、追加を行う場合には前記ストレージ事業者は前記ネットワークで前記スポンサＣＭ等の情報の更新、追加、削除等のコマンドと、更新用、追加用の前記スポンサＣＭ等の情報を転送することで行う。前記ディジタル放送経由で更新、追加を行う場合には前記スポンサはディジタル放送波中に前記更新、追加、削除等のコマンドと更新、追加用のＣＭ等の情報データを入れておき、ユーザが前記ディジタル放送波を受信した時に前記大容量ストレージ内のスポンサＣＭ等の情報の更新、追加が行われる。以上の手段を持つ前記無料配布された大容量ストレージを用いることにより、前記スポンサは自社のＣＭ等の情報をユーザに見てもらうことができ、ユーザは前記大容量ストレージのユーザしか見ることができない前記スポンサのＣＭ等の情報を見ることができるといったサービスを行う。
【手続補正２１】
【補正対象書類名】明細書
【補正対象項目名】００３６
【補正方法】変更
【補正の内容】
【００３６】
また、本発明は、一例として、上記発明において、前記無料配布された大容量ストレージにユーザが前記ＡＶデータや各種情報データを記録する場合に、前記大容量ストレージはユーザが利用した容量に関する情報から前記スポンサのＣＭ等の情報が記録された領域へのアクセス時に読み出すデータの量をコントロールする手段を持っており、前記大容量ストレージの使用容量が大きいユーザには多数の前記スポンサのＣＭ等の情報を見せ、使用容量が小さいユーザには前記スポンサのＣＭ等の情報を少ししか見せないといったことを行う。以上の手段を有する大容量ストレージを用いる事によって、前記無料配布された大容量ストレージの使用容量に応じた前記スポンサのＣＭ等の情報をユーザに見せることができ、使用容量の大きいユーザと小さいユーザのＣＭ量の不公平のないサービスを行う。
【手続補正２２】
【補正対象書類名】明細書
【補正対象項目名】００５４
【補正方法】変更
【補正の内容】
【００５４】
大容量ストレージ事業者１は、ユーザ６にこのような大容量ストレージ２を配布する。なお、配布するとは、ユーザ６に大容量ストレージ２を無料で譲渡することを意味し、配布された大容量ストレージ２は、例えばユーザ６の宅に設置され、ユーザ６の宅で使用される。
【手続補正２３】
【補正対象書類名】明細書
【補正対象項目名】００５９
【補正方法】変更
【補正の内容】
【００５９】
例えばスポンサ３がレコード会社なら、スポンサのＣＭ等の情報データ５を今度発売の新曲にしておくと、ユーザ６がユーザデータ７にアクセスした時にスポンサのＣＭ等の情報データ５が付加されて読み出されるので記録した新曲が再生されて新曲のコマーシャルになりレコード会社として有益なサービスとなる。
【手続補正２４】
【補正対象書類名】明細書
【補正対象項目名】００６１
【補正方法】変更
【補正の内容】
【００６１】
また、このような制御手段２７の機能は、大容量ストレージ２にＣＰＵを設けておき、このＣＰＵによって実行されるコンピュータのプログラムによって実現することが出来る。
【手続補正２５】
【補正対象書類名】明細書
【補正対象項目名】００６６
【補正方法】変更
【補正の内容】
【００６６】
さらに、本実施の形態では、無料で配布するとは、ユーザ６に大容量ストレージ２を無料で譲渡することを意味し、配布された大容量ストレージ２は、例えばユーザ６の宅に設置され、ユーザ６の宅で使用されるとして説明したが、無料で配布するとは、ユーザ６に大容量ストレージ２を無料で貸与することを意味し、配布された大容量ストレージ２は、例えばユーザ６の宅に設置され、ユーザ６の宅で使用されても構わない。
【手続補正２６】
【補正対象書類名】明細書
【補正対象項目名】００７４
【補正方法】変更
【補正の内容】
【００７４】
例えば、大容量ストレージ９が図３の大容量ストレージ２のようにネットワーク１５に接続されており、通信手段２４とモデム２５により、大容量ストレージ事業者と通信する機能を有しているとする。このように、大容量ストレージ９が大容量ストレージ事業者８とネットワーク１５で接続されている場合は大容量ストレージ事業者８はネットワーク１５を介して大容量ストレージ９のスポンサ領域１１にアクセス可能となり、大容量ストレージ事業者８はスポンサのＣＭ等の情報データ１２を更新、追加するためのスポンサデータ１６とコマンド１７が送られ、スポンサデータ１６とコマンド１７を受け取った大容量ストレージ９はスポンサデータの更新、追加、削除を行う。また、ディジタル放送を利用する場合にはスポンサ１０はディジタル放送波１８中に更新、追加、削除用のスポンサデータ１６とコマンド１７を入れておき、ディジタル放送波１８を受信したら大容量ストレージ９に対してスポンサ領域１１へのデータ更新、追加、削除を行う。またスポンサデータ１２や更新、追加用のスポンサデータ１６に大容量ストレージ９に記録して再生した場合しか見ることができないスポンサのＣＭ等の情報を入れておけば、大容量ストレージ９のユーザにとって有益なサービスとなる。
【手続補正２７】
【補正対象書類名】明細書
【補正対象項目名】００７８
【補正方法】変更
【補正の内容】
【００７８】
大容量ストレージ事業者１から無料配布された大容量ストレージ２はスポンサ領域４を持っており、スポンサ領域４にはスポンサ３のＣＭ等の情報データ５があらかじめ記録されている。大容量ストレージ２は大容量ストレージ事業者１しかアクセスできない手段を有しており、ユーザ６がスポンサ領域４にアクセスすることはできないのでスポンサ３のＣＭ等の情報データ５を削除することはできない。つまり制御手段２７がこのような手段であり、例えば、入力されたパスワードに応じて、スポンサ領域４へのアクセスを禁止するか許可するかを制御する。制御手段２７は、パスワードを要求し、この要求に対して、大容量ストレージ事業者１用のパスワードが入力された場合には、スポンサ領域４へのアクセスを許可し、また、ユーザ６用のパスワードが入力された場合には、スポンサ領域４へのアクセスを許可しない。このようにスポンサ領域４に書き込まれているスポンサのＣＭ等の情報のアップデートは、特定の権限のあるものに限られる。
【手続補正２８】
【補正対象書類名】明細書
【補正対象項目名】００７９
【補正方法】変更
【補正の内容】
【００７９】
実施の形態１で説明したのと同様に、ユーザ６が大容量ストレージ２のユーザ領域２３に記録したＡＶデータ等の各種ユーザデータ７にアクセスするときは大容量ストレージ２内では先ずスポンサのＣＭ等の情報データ５にアクセスしてからユーザデータ７にアクセスするので、ユーザがスポンサのＣＭ等の情報データ５を削除できない。従って、大容量ストレージ２を用いればスポンサ３はユーザがユーザデータ７にアクセスする時には必ずスポンサのＣＭ等の情報データ５を見てもらうことができるので、スポンサ３にとって、スポンサのＣＭ等の情報データ５の視聴率が向上するという効果が得られる。
【手続補正２９】
【補正対象書類名】明細書
【補正対象項目名】００８０
【補正方法】変更
【補正の内容】
【００８０】
なお、本実施の形態では、制御手段２７は、入力されたパスワードによりスポンサ領域４へのアクセスを制御するとして説明したが、これ以外の方法によってスポンサ領域４へのアクセスを制御しても構わない。例えば、大容量ストレージ２は、大容量ストレージ事業者１のみが知っており、ユーザ６には知らされていない専用のコマンドを用意しておき、この専用のコマンドを使用したときのみスポンサ領域４にアクセス出来るようになるとする。そして、大容量ストレージ事業者１のみがこの専用のコマンドを使用できるようにしても構わない。また、大容量ストレージ事業者１がネットワーク１５を経由して大容量ストレージ２のスポンサ領域４にアクセスする場合には、大容量ストレージ事業者１が使用する専用のプロトコルを使用して大容量ストレージ２と通信するものとする。そして、ユーザ６にはこの専用のプロトコルは知らされていない。このように大容量ストレージ事業者１がユーザ６には知らされていない専用のプロトコルによってのみスポンサ領域４にアクセス出来るようにしても構わない。
【手続補正３０】
【補正対象書類名】明細書
【補正対象項目名】００８７
【補正方法】変更
【補正の内容】
【００８７】
さらに、ネットワーク１５を経由して大容量ストレージ事業者は大容量ストレージ２にアクセスして、記録媒体２１のうち、ユーザ領域２３に割り当てる領域の容量を変更することが出来るようにしても構わないし、記録媒体２１のうち、スポンサ領域４に割り当てる領域の容量を変更することが出来るようにしても構わないし、ユーザ領域２３及びスポンサ領域４の両方に割り当てる領域の容量を変更することが出来るようにしても構わない。
【手続補正３１】
【補正対象書類名】明細書
【補正対象項目名】００９０
【補正方法】削除
【補正の内容】
【手続補正３２】
【補正対象書類名】明細書
【補正対象項目名】００９１
【補正方法】削除
【補正の内容】
【手続補正３３】
【補正対象書類名】明細書
【補正対象項目名】００９２
【補正方法】削除
【補正の内容】
【手続補正３４】
【補正対象書類名】明細書
【補正対象項目名】００９３
【補正方法】削除
【補正の内容】
【手続補正３５】
【補正対象書類名】明細書
【補正対象項目名】００９４
【補正方法】削除
【補正の内容】
【手続補正３６】
【補正対象書類名】明細書
【補正対象項目名】００９５
【補正方法】削除
【補正の内容】
【手続補正３７】
【補正対象書類名】明細書
【補正対象項目名】００９６
【補正方法】削除
【補正の内容】
【手続補正３８】
【補正対象書類名】明細書
【補正対象項目名】００９７
【補正方法】削除
【補正の内容】
【手続補正３９】
【補正対象書類名】明細書
【補正対象項目名】００９９
【補正方法】変更
【補正の内容】
【００９９】
【発明の効果】
以上説明したところから明らかなように、本発明は、ユーザにとって利用しやすい記録再生装置、及び記録媒体を提供することが出来る。
【手続補正４０】
【補正対象書類名】明細書
【補正対象項目名】０１００
【補正方法】変更
【補正の内容】
【０１００】
また、本発明は、大容量ストレージ事業者が利益を得ることが出来る記録再生装置、及び記録媒体を提供することが出来る。
【手続補正４１】
【補正対象書類名】明細書
【補正対象項目名】０１０１
【補正方法】変更
【補正の内容】
【０１０１】
また、本発明は、ＣＭ等の情報がユーザに視聴される記録再生装置、及び記録媒体を提供することが出来る。
【手続補正４２】
【補正対象書類名】明細書
【補正対象項目名】図面の簡単な説明
【補正方法】変更
【補正の内容】
【図面の簡単な説明】
【図１】本発明の実施の形態１、２、４における大容量ストレージを用いたサービスの説明図
【図２】本発明の実施の形態３における大容量ストレージを用いたサービスの説明図
【図３】本発明の実施の形態１〜４における大容量ストレージの構成を示す図
【符号の説明】
１、８  ストレージ事業者
２、９  無料配布された大容量ストレージ
３、１０  スポンサ
４、１１  スポンサに割り当てられたスポンサ領域
５、１２  スポンサのＣＭ等の情報データ
６、１３  ユーザ
７、１４  ユーザデータ
１５  ネットワーク
１６  更新、追加用スポンサのＣＭ等の情報データ
１７  コマンド
１８  ディジタル放送波
２１  記録媒体
２２  記録再生手段
２３  ユーザ領域
２４  通信手段
２５  モデム
２６  ＴＶ
２７  制御手段